【手続補正書】
【提出日】平成20年9月3日(2008.9.3)
【手続補正１】
【補正対象書類名】明細書
【補正対象項目名】特許請求の範囲
【補正方法】変更
【補正の内容】
【特許請求の範囲】
【請求項１】  単一キャリア基地局と複数キャリア基地局間の遠隔局ハンドオフを容易にする方法であって、
遠隔局が、単一キャリアプロトコルに従って第１の周波数帯域における信号を受信していることを決定する工程と、
前記遠隔局が、前記単一キャリアプロトコルに従って第２の周波数帯域における信号を送信していることを決定する工程であって、前記第２周波数帯域は、前記第１周波数帯域と実質的に同じである工程と、
前記遠隔局から第１のメッセージにおける種々の基地局の信号強度測定値を受信する工程と、 前記種々の基地局の少なくとも１つは、単一キャリアに準拠しており、前記種々の基地局の少なくとも１つは、複数キャリアに準拠していることを決定する工程と、
前記遠隔局は、前記第１の周波数帯域よりも大きい第３の周波数帯域における複数キャリアプロトコルに従って信号の受信を開始すべきであることを示す第２のメッセージを前記遠隔局に対して送信する工程と、
を具備する方法。
【請求項２】  前記第１の周波数帯域は前記第３の周波数帯域内に含まれる請求項１に記載の方法。
【請求項３】  前記第２のメッセージは、前記遠隔局が前記第２の周波数帯域における前記単一キャリアプロトコルに従って信号の送信を開始すべきであることを示す請求項２に記載の方法。
【請求項４】  単一キャリアに準拠する前記種々の基地局の少なくとも１つから、前記第２の周波数帯域における前記単一キャリアプロトコルに従って前記遠隔局によって送信される信号のために前記第２の周波数帯域を監視する工程と、
複数キャリアに準拠する前記種々の基地局の少なくとも１つから、複数キャリア変調方法に従った信号を、前記第３の周波数帯域における前記遠隔局に送信する工程と、
をさらに具備する請求項３に記載の方法。
【請求項５】 単一キャリアに準拠する前記種々の基地局の少なくとも１つから、前記単一キャリアプロトコルに従って少なくとも１つの電力制御信号を前記第１の周波数帯域における前記遠隔局へ送信する工程をさらに具備する請求項４に記載の方法。
【請求項６】  複数キャリアに準拠する前記種々の基地局の少なくとも１つから、前記第２の周波数帯域における前記単一キャリアプロトコルに従って送信される信号のために、前記第２の周波数帯域を監視する工程をさらに具備する請求項５に記載の方法。
【請求項７】 単一キャリアに準拠する前記種々の基地局の少なくとも１つから、前記複数キャリア変調方法に従って、波形信号を生成する工程と、
前記波形信号の各々の一部を前記第１の周波数帯域における前記遠隔局に送信する工程と、
をさらに具備する請求項６記載の方法。
【請求項８】 前記第２のメッセージはさらに、第４の周波数帯域における前記単一キャリアプロトコルに従って信号の送信を開始すべきであることを示し、前記第４の周波数帯域は、前記第２の周波数帯域と実質的に同じ幅であり、前記第４の周波数帯域のスペクトルは前記第２の周波数帯域のスペクトルと重複しない請求項２に記載の方法。
【請求項９】 複数キャリアに準拠する前記種々の基地局の少なくとも１つから、複数キャリア変調方法に従った信号を、前記第３の周波数帯域における前記遠隔局に送信する工程と、
複数キャリアに準拠する前記種々の基地局の少なくとも１つから、前記第４の周波数帯域における前記単一キャリアプロトコルに従って前記遠隔局によって送信された信号のために前記第４の周波数帯域を監視する工程と、
をさらに具備する請求項８に記載の方法。
【請求項１０】 単一キャリアに準拠する前記種々の基地局の少なくとも１つから、前記第４の周波数帯域における前記単一キャリアプロトコルに従った前記遠隔局によって送信された信号のために前記第４の周波数帯域を監視する工程と、
単一キャリアに準拠する前記種々の基地局の少なくとも１つから、前記第２の周波数帯域における前記単一キャリアプロトコルに従って他の遠隔局によって送信された信号のために前記第２の周波数帯域を監視する工程と、
をさらに具備する請求項９に記載の方法。
【請求項１１】  単一キャリアに準拠する前記種々の基地局の少なくとも１つから、前記複数キャリア変調方法に従って、波形信号を生成する工程と、
前記波形信号の各々の一部を前記第１の周波数帯域における前記遠隔局に送信する工程と、
をさらに具備する請求項１０に記載の方法。
【請求項１２】  単一キャリアに準拠する前記種々の基地局の少なくとも１つから、前記複数キャリア変調方法に従って、波形信号を生成する工程と、
前記波形信号の各々の一部を前記第１の周波数帯域における前記遠隔局に送信する工程と、
をさらに具備する請求項９に記載の方法。
【請求項１３】  単一キャリア基地局と複数キャリア基地局間の遠隔局ハンドオフを容易にする方法であって、
遠隔局が、単一キャリアプロトコルに従って第１の周波数帯域における信号を受信することを決定する工程と、
前記遠隔局が、前記単一キャリアプロトコルに従って第２の周波数帯域における信号を送信していることを決定する工程と、
前記遠隔局からの第１のメッセージにおける種々の基地局の信号強度測定値を受信する工程と、
前記種々の基地局の少なくとも１つが単一キャリアに準拠しており、前記種々の基地局の少なくとも１つが複数キャリアに準拠していることを決定する工程と、
前記遠隔局が、前記第１の周波数帯域よりも大きい第３の周波数帯域における複数キャリアプロトコルに従ってメッセージの受信を開始すべきであることを示す第２のメッセージを前記遠隔局に送信する工程であって、前記第２のメッセージはまた、前記遠隔局が、前記第１の周波数帯域よりも大きい第４の周波数帯域に関して前記複数キャリアプロトコルに従ってメッセージ帯域の送信を開始すべきであることを示す工程と、
を具備する方法。
【請求項１４】  前記第１の周波数帯域は前記第３の周波数帯域内に含まれており、前記第２の周波数帯域は、前記第４の周波数帯域内に含まれている請求項１３記載の方法。
【請求項１５】  複数キャリアに準拠する前記種々の基地局の少なくとも１つから、前記第２の周波数帯域における前記複数キャリアプロトコルに従って送信された信号のために前記第４の周波数帯域を監視する工程と、
複数キャリアに準拠する前記種々の基地局の少なくとも１つから、複数キャリア変調方法に従った信号を前記第３の周波数帯域における前記遠隔局へ送信する工程と、
をさらに具備する請求項１４記載の方法。
【請求項１６】  単一キャリア基地局と複数キャリア基地局間の遠隔局ハンドオフを容易にする方法であって、
遠隔局が単一キャリアプロトコルに従って第１の周波数帯域における信号を受信することを決定する工程と、
前記遠隔局が前記単一キャリアプロトコルに従って第２の周波数帯域における信号を送信していることを決定する工程であって、前記第２の周波数帯域は実質的に前記第１の周波数帯域と同じである工程と、
前記遠隔局からの第１のメッセージにおける種々の基地局の信号強度測定値を受信する工程と、
前記種々の基地局の少なくとも１つが単一キャリアに準拠しており、前記種々の基地局の少なくとも１つが複数キャリアに準拠していることを決定する工程と、
前記遠隔局が、前記第１の周波数帯域において複数キャリアに準拠する前記種々の基地局の少なくとも１つから前記単一キャリアプロトコルに従ってメッセージの受信を開始すべきであることを示す第２のメッセージを前記遠隔局に送信する工程と、
複数キャリアに準拠する前記種々の基地局の少なくとも１つから、前記単一キャリアプロトコルに従って前記第１の周波数帯域における前記遠隔局へ信号を送信して、複数キャリアに準拠する前記種々の基地局の少なくとも１つから、前記第２の周波数帯域における前記単一キャリアプロトコルに従って送信された信号のために前記第２の周波数帯域を監視する工程と、を具備する方法。
【請求項１７】  単一キャリア基地局及び複数キャリア基地局の両方を含む一組の基地局を含むネットワークにおける基地局コントローラ装置であって、
前記一組の基地局にメッセージを送信するとともに、当該一組の基地局からメッセージを受信するためのインタフェースであって、前記受信メッセージはアクティブセットリストメッセージを具備するインタフェースと、
前記アクティブセットリストメッセージを検査するために、前記インタフェースに伝達可能に結合された制御プロセッサとを具備し、
前記制御プロセッサはさらに、前記一組のアクティブセットリストメッセージに従ってフォワードリンクチャネルを第１の遠隔局に対して設定するものであり、前記フォワードリンクチャネルは、前記単一キャリア基地局の１つに関して設定された第１のフォワードリンクチャネルを具備し、前記フォワードリンクチャネルは、前記複数キャリア基地局に関して設定された第２のフォワードリンクチャネルを具備する装置。
【請求項１８】  前記送信メッセージはハンドオフメッセージを具備し、前記制御プロセッサはさらに、前記アクティブセットリストメッセージに従って前記ハンドオフメッセージを生成する請求項１７に記載の装置。
【請求項１９】  単一キャリア基地局装置であって、
単一キャリアプロトコルまたは複数キャリアプロトコルに従ってデータを変調して、送信器に変調されたデータを供給するために、送信器に伝達可能に結合されるとともに、制御プロセッサに伝達可能に結合された変調器であって、前記送信器は、単一キャリア周波数帯域における前記変調されたデータを無線で送信する変調器と、
基地局コントローラからの指示を受信するために、前記制御プロセッサに伝達可能に結合されたインタフェースであって、前記制御プロセッサは、前記メッセージを検査して前記変調器に対して前記メッセージの内容に基づいて複数キャリアプロトコルに従って前記データを変調すべきかあるいは単一キャリアプロトコルに従って前記データを変調するかを指示するインタフェースと、
を具備する単一キャリア基地局装置。
【請求項２０】  遠隔局装置であって、
複数キャリアプロトコルに従ってかつ単一キャリアプロトコルに従ってデータを変調するための変調器と、
複数キャリアプロトコルに従ってかつ単一キャリアプロトコルに従ってデータを復調するための復調器と、
受信したハンドオフメッセージの内容に基づいて、データを前記複数キャリアプロトコルに従って変調すべきであるか、あるいは、データを前記単一キャリアプロトコルに従って変調すべきであるかを決定するための制御プロセッサとを具備し、
前記制御プロセッサはさらに、前記受信したハンドオフメッセージの内容に基づいて、データを前記複数キャリアプロトコルに従って復調すべきであるか、あるいは、データを前記単一キャリアプロトコルに従って復調すべきかどうかを決定し、
前記制御プロセッサは、前記複数キャリアプロトコルに従ってデータを変調すべきであるか、あるいは、前記単一キャリアプロトコルに従ってデータを変調すべきであるかを前記複数キャリア変調器に対して指示するために、前記変調器に伝達可能に結合され、
前記制御プロセッサは、前記複数キャリアプロトコルに従ってデータを復調すべきであるか、あるいは、前記単一キャリアプロトコルに従ってデータを復調すべきであるかを前記復調器に対して指示するために、前記復調器に伝達可能に結合されている遠隔局装置。
【請求項２１】  装置であって、
遠隔局が単一キャリアプロトコルに従って第１の周波数帯域において信号を受信していることを決定するための手段と、 前記遠隔局が前記単一キャリアプロトコルに従って第２の周波数帯域における信号を送信していることを決定するための手段であって、前記第２の周波数帯域は、前記第１の周波数帯域と実質的に同じである手段と、
前記遠隔局からの第１のメッセージにおける種々の基地局の信号強度測定値を受信するための手段と、
前記種々の基地局の少なくとも１つが単一キャリアに準拠し、前記種々の基地局の少なくとも１つが複数キャリアに準拠することを決定する手段と、
前記遠隔局が、前記第１の周波数帯域よりも大きな第３の周波数帯域における複数キャリアプロトコルに従って信号の受信を開始すべきであることを示す第２のメッセージを前記遠隔局に送信するための手段と、
を具備する装置。
【請求項２２】  装置であって、
遠隔局が、単一キャリアプロトコルに従って第１の周波数帯域における信号を受信することを決定するための手段と、
前記遠隔局が前記単一キャリアプロトコルに従って第２の周波数帯域における信号を送信していることを決定するための手段であって、前記第２の周波数帯域は前記第１の周波数帯域と実質的に同じ幅である手段と、
前記遠隔局からの第１のメッセージにおける種々の基地局の信号強度測定値を受信するための手段と、
前記種々の基地局の少なくとも１つは単一キャリアに準拠しており、前記種々の基地局の少なくとも１つは複数キャリアに準拠していることを決定するための手段と、
前記遠隔局が、前記第１の周波数帯域よりも大きな第３の周波数帯域における複数キャリアプロトコルに従ってメッセージの受信を開始すべきであることを示す第２のメッセージを前記遠隔局に対して送信する手段であって、前記第２のメッセージはまた、前記遠隔局が、前記第１の周波数帯域よりも大きい第４の周波数帯域に関する前記複数キャリアプロトコルに従ってメッセージ帯域の送信を開始すべきであることを示す手段と、
を具備する装置。
【請求項２３】  装置であって、
遠隔局が単一キャリアプロトコルに従って第１の周波数帯域における信号を受信することを決定するための手段と、
前記遠隔局が、前記単一キャリアプロトコルに従って第２の周波数帯域における信号を送信していることを決定するための手段であって、前記第２の周波数帯域は前記第１の周波数帯域と実質的に同じ幅である手段と、
前記遠隔局からの第１のメッセージにおける種々の基地局の信号強度測定値を受信するための手段と、
前記種々の基地局の少なくとも１つが単一キャリアに準拠しており、前記種々の基地局の少なくとも１つが複数キャリアに準拠していることを決定するための手段と、
前記遠隔局が、前記第１の周波数帯域における複数キャリアに準拠している前記種々の基地局の少なくとも１つからの前記単一プロトコルに従ってメッセージの受信を開始すべきであることを示す第２のメッセージを前記遠隔局に送信するための手段と、
複数キャリアに準拠する前記種々の基地局の少なくとも１つから、前記単一キャリアプロトコルに従って信号を前記第１周波数帯域における前記遠隔局に送信するとともに、複数キャリアに準拠する前記種々の基地局の前記少なくとも１つから、前記第２周波数帯域における前記単一キャリアプロトコルに従って送信された信号のために前記第２の周波数帯域を監視する手段と、
を具備する装置。
【請求項２４】  遠隔局ハンドオフを容易にする方法であって、
前記遠隔局における単一キャリアプロトコルに従って第１の周波数帯域における信号を受信していることと、
前記遠隔局から第１のメッセージにおける種々の基地局の信号強度測定値を送信することと、
前記第１の周波数帯域よりも大きい第２の周波数帯域における複数キャリアプロトコルに従って信号の受信を開始すべきであることを示す第２のメッセージを前記遠隔局において受信することと、
を具備する方法。
【請求項２５】  前記第１の周波数帯域は前記第２の周波数帯域内に含まれる請求項１に記載の方法。
【請求項２６】 遠隔局ハンドオフを容易にする方法であって、
前記遠隔局における単一キャリアプロトコルに従って第１の周波数帯域における信号を受信していることと、
前記遠隔局から第１のメッセージにおける種々の基地局の信号強度測定値を送信することと、
前記第１の周波数帯域よりも大きい第２の周波数帯域における複数キャリアプロトコルに従ってメッセージの受信を開始すべきであることを示す第２のメッセージを前記遠隔局において送信することとを具備し、
前記第２のメッセージはさらに、前記遠隔局が前記第１の周波数帯域よりも大きい第２の周波数帯域における前記複数キャリアプロトコルに従ってメッセージの送信を開始すべきであることを示す方法。
【請求項２７】  遠隔局ハンドオフを容易にする方法であって、
前記遠隔局における単一キャリアプロトコルに従って第１の周波数帯域における信号を受信していることと、
前記遠隔局から第１のメッセージにおける種々の基地局の信号強度測定値を送信することと、
前記第１の周波数帯域において、複数キャリアに準拠している、前記種々の基地局の少なくとも１つから、前記単一キャリアプロトコルに従ってメッセージの受信を開始すべきであることを示す第２のメッセージを前記遠隔局において受信することと、
前記遠隔局において、複数キャリアに準拠している、前記種々の基地局の少なくとも１つから、前記第１の周波数帯域において、前記単一キャリアプロトコルに従って信号を受信することと、
第２の周波数帯域は、複数キャリアに準拠している、前記種々の基地局の少なくとも１つから、前記第２の基地局における前記単一キャリアプロトコルに従って信号を監視することと、
を具備する方法。
【請求項２８】  遠隔局であって、
単一キャリアプロトコルに従って第１の周波数帯域における信号を受信するための手段と、
第１のメッセージにおける種々の基地局の信号強度測定値を送信するための手段と、
前記遠隔局が、前記第１の周波数帯域よりも大きい第２の周波数帯域における複数キャリアプロトコルに従って信号の受信を開始すべきであることを示す第２のメッセージを受信するための手段と、
を具備する遠隔局。
【請求項２９】  前記第１の周波数帯域は前記第２の周波数帯域に含まれる、請求項２８に記載の遠隔局。
【請求項３０】  遠隔局であって、
単一キャリアプロトコルに従って第１の周波数帯域において信号を受信する手段と、
第１のメッセージにおける種々の基地局の信号強度測定値を送信するための手段と、
前記遠隔局が、前記第１の周波数帯域よりも大きい第２の周波数帯域における複数キャリアプロトコルに従ってメッセージの受信を開始すべきであることを示す第２のメッセージを受信するための手段と、を具備し、
前記第２のメッセージはさらに、前記遠隔局が前記第１の周波数帯域よりも大きい第２の周波数帯域における前記複数キャリアプロトコルに従ってメッセージの送信を開始すべきであることを示す遠隔局。
【請求項３１】  遠隔局であって、
前記遠隔局における単一キャリアプロトコルに従って第１の周波数帯域において信号を受信するための手段と、
前記遠隔局から、第１のメッセージにおける種々の基地局の信号強度測定値を送信するための手段と、
前記遠隔局は、前記第１の周波数帯域において、複数キャリアに準拠している、前記種々の基地局の少なくとも１つから、前記単一キャリアプロトコルに従ってメッセージの受信を開始すべきであることを示す、前記遠隔局における第２のメッセージを受信するための手段と、
前記遠隔局における、複数キャリアに準拠している前記種々の基地局の少なくとも１つから、前記第１の周波数帯域において、前記単一キャリアプロトコルに従って信号を受信するための手段と、
複数キャリアに準拠している前記種々の基地局の少なくとも１つから、前記第２の周波数帯域において前記単一キャリアプロトコルに従って信号の送信をするために第２の周波数帯域を監視するための手段と、
を具備する遠隔局。
【請求項３２】  遠隔局ハンドオフを容易にする方法を実施するコンピュータ読み取り可能なメディアであって、前記方法は、
前記遠隔局における単一キャリアプロトコルに従って第１の周波数帯域において信号を受信することと、
前記遠隔局から、第１のメッセージにおける前記種々の基地局の信号強度測定値を送信することと、
前記遠隔局が、前記第１の周波数帯域よりも大きい第２の周波数帯域における複数キャリアプロトコルに従って信号の受信を開始すべきであることを示す第２のメッセージを受信することと、
を具備するメディア。
【請求項３３】  遠隔局ハンドオフを容易にする方法を実施するコンピュータ読み取り可能なメディアであって、前記方法は、
前記遠隔局における単一キャリアプロトコルに従って第１の周波数帯域において信号を受信することと、
前記遠隔局から、第１のメッセージにおける前記種々の基地局の信号強度測定値を送信することと、
前記遠隔局が、前記第１の周波数帯域よりも大きい第２の周波数帯域における複数キャリアプロトコルに従ってメッセージの受信を開始すべきであることを示す第２のメッセージを受信することと、を具備し、
前記第２のメッセージはさらに、前記遠隔局が前記第１の周波数帯域よりも大きい第２の周波数帯域における前記複数キャリアプロトコルに従ってメッセージの送信を開始すべきであることを示すメディア。
【請求項３４】  遠隔局ハンドオフを容易にする方法を実施するコンピュータ読み取り可能なメディアであって、前記方法は、
前記遠隔局における単一キャリアプロトコルに従って第１の周波数帯域において信号を受信することと、
前記遠隔局から、第１のメッセージにおける前記種々の基地局の信号強度測定値を送信することと、
前記遠隔局は、前記第１の周波数帯域において、複数キャリアに準拠している、前記種々の基地局の少なくとも１つから、前記単一キャリアプロトコルに従ってメッセージの受信を開始すべきであることを示す、前記遠隔局における第２のメッセージを受信するためのことと、
前記遠隔局における、複数キャリアに準拠している前記種々の基地局の少なくとも１つから、前記第１の周波数帯域において、前記単一キャリアプロトコルに従って信号を受信するためのことと、
を具備するメディア。
【請求項３５】  遠隔局ハンドオフを容易にする方法を実施するコンピュータ読み取り可能なメディアであって、前記方法は、
遠隔局が、単一キャリアプロトコルに従って第１の周波数帯域における信号を受信していることを決定することと、
前記遠隔局が、前記単一キャリアプロトコルに従って第２の周波数帯域における信号を送信していることを決定することであって、前記第２周波数帯域は、前記第１周波数帯域と実質的に同じであることと、
前記遠隔局から第１のメッセージにおける種々の基地局の信号強度測定値を受信することと、
前記種々の基地局の少なくとも１つは、単一キャリアに準拠しており、前記種々の基地局の少なくとも１つは、複数キャリアに準拠していることを決定することと、
前記遠隔局は、前記第１の周波数帯域よりも大きい第３の周波数帯域における複数キャリアプロトコルに従って信号の受信を開始すべきであることを示す第２のメッセージを前記遠隔局に対して送信することと、
を具備するメディア。
【請求項３６】  遠隔局ハンドオフを容易にする方法を実施するコンピュータ読み取り可能なメディアであって、前記方法は、
遠隔局が、単一キャリアプロトコルに従って第１の周波数帯域における信号を受信していることを決定することと、
前記遠隔局が、前記単一キャリアプロトコルに従って第２の周波数帯域における信号を送信していることを決定することであって、前記第２周波数帯域は、前記第１周波数帯域と実質的に同じであることと、
前記遠隔局から第１のメッセージにおける種々の基地局の信号強度測定値を受信することと、
前記種々の基地局の少なくとも１つは、単一キャリアに準拠しており、前記種々の基地局の少なくとも１つは、複数キャリアに準拠していることを決定することと、
前記第１の周波数帯域より大きい第３の周波数帯域における複数キャリアプロトコルに従ってメッセージの受信を開始すべき前記遠隔局を示す第２のメッセージを前記遠隔局に対して送信することと、を具備し、
前記第２のメッセージはさらに、前記遠隔局が前記第１の周波数帯域よりも大きい第４の周波数帯域における前記複数キャリアプロトコルに従ってメッセージの送信を開始すべきであることを示すメディア。
【請求項３７】  遠隔局ハンドオフを容易にする方法を実施するコンピュータ読み取り可能なメディアであって、前記方法は、
遠隔局が、単一キャリアプロトコルに従って第１の周波数帯域における信号を受信することを決定することと、
前記遠隔局が、前記単一プロトコルに従って第２の周波数帯域における信号を送信していることを決定することであって、前記第２の周波数帯域は、前記第１周波数帯域と実質的に同じであることと、
前記遠隔局からの第１のメッセージにおける種々の基地局の信号強度測定値を受信することと、
前記種々の基地局の少なくとも１つは、単一キャリアに準拠しており、前記種々の基地局の少なくとも１つは、複数キャリアに準拠していることを決定することと、
複数キャリアに準拠している前記種々の基地局の少なくとも１つから、前記第１の周波数帯域において、前記単一キャリアプロトコルに従ってメッセージの受信を開始すべきであることを示す第２のメッセージを前記遠隔局に対して送信することと、
複数キャリアに準拠している前記種々の基地局の少なくとも１つから、前記第１の周波数帯域において、前記単一キャリアプロトコルに従って信号を送信することと、
複数キャリアに準拠している前記種々の基地局の少なくとも１つから、前記第２の周波数帯域において、前記単一キャリアプロトコルに従って送信された信号のために前記第２の周波数帯域を監視することと、
を具備するメディア。